(57)【要約】【課題】運動効果を有する部位は拡大になり、ロープがローラーから脱落し又はロープが断裂し易い欠点を回避できる足踏み機の構造を提供する。【解決手段】一つの台座と二つのペダル組と一つの連動機構とから構成され、台座には二つの傾斜面を持つ固定台が設けてあり、傾斜面には傾斜面と垂直し上へ延設した固定ピンがそれぞれ二つ設けてあり、固定ビンにはスリーブがそれぞれ嵌めてあり、スリーブと台座の間にはダンパー素子がそれぞれ設けてある足踏み機の構造において、連動機構は前記固定台の後方に嵌められた支持台を含み、支持台の内部には一つの枢着板が枢着してあり、枢着板の両端には一つの連動具がそれぞれ枢着してあり、連動具の前記枢着板から遠ざかった一端がそれぞれ二つのペダル組にある翼片に連接している。【選択図】図2
0003120750.tif 000002
【実用新案登録請求の範囲】
【請求項１】
一つの台座と、二つのべダル組と、一つの連動機構とから構成され、前記台座には二つの傾斜面を持つ固定台が設けてあり、前記傾斜面には前記傾斜面と垂直し上へ延設した固定ピンがそれぞれ一つ設けてあり、前記固定ビンにはスリーブがそれぞれ嵌めてあり、前記スリーブと前記台座の間にはダンパー素子がそれぞれ設けてある足踏み機の構造において、前記連動機構は前記固定台の後方に嵌められた支持台を含み、前記支持台の内部には一つの枢着板が枢着してあり、前記枢着板の両端には一つの連動具がそれぞれ枢着してあり、前記連動具の前記枢着板から遠ざかった一端がそれぞれ二つのペダル組にある翼片に連接してあることを特徴とする、足踏み機の構造。
【請求項２】
前記支持台の内部と枢着板の間にはワッシャが複数に設けてあることを特徴とする、請求項1に記載の足踏み機の構造。
【請求項３】
前記枢着板の両端には前記連動具を枢着するためのねじ穴がそれぞれ一つ開設してあることを特徴とする、請求項1に記載の足踏み機の構造。
【考案の詳細な説明】
【技術分野】
【０００１】
本考案は、足踏み機の構造に係り、特に、連動機構およびダンパー素子の油圧抵抗により、足踏み運動の効果を達成できる足踏み機の構造に関するものである。
【背景技術】
【０００２】
目下、商工業の発達に従って、国民の日常生活は極めで忙しくなり、なお、健康を保持するために運動をすることは一般であり、しかし、大都市において運動できる場所はどんどん少なくなるので、上記問題を解決し運動安全性を向上するために、ある業者は室内で使用できる運動用足踏み機を開発した。
【０００３】
図6に示すのは従来の足踏み機であって、連動機構40は、固定台50の後方に嵌められた支持台41と、前記支持台41の内部に設けたローラー42と、前記ローラー42の外周面に巻かれたロープ43と、前記固定台50内に螺着され前記支持台41を前後に移動させるための調整具(図示せず)とを含み、前記ロープ43の両端はそれぞれ二つのペダル組60の連動板61に固定され、前記ローラー42がロープ43を中段に支えて張力をロープ43に与える。
【考案の開示】
【考案が解決しようとする課題】
【０００４】
しかしながら、上記説明から明らかなように、前記ロープはローラーの外周面に巻き付けるだけであるので、足踏み機を運搬する際にロープが脱落し易く、且つ使用者が足踏み機を組付けるときに、ロープをローラーの内部に嵌めることはよく忘れ、これにより、足踏み機は動作不能または損壊になり易く、且つロープの強度はより弱いので、長期間に使用したと、ロープは断裂し易く、更に、使用者は運動傷害を受けることもよくあった。
【課題を解決するための手段】
【０００５】
上記問題を解決するためになされた本願の考案は、一つの台座と、二つのペダル組と、一つの連動機構とから構成され、前記台座には二つの傾斜面を持つ固定台が設けてあり、前記傾斜面には前記傾斜面と垂直し上へ延設した固定ピンがそれぞれ一つ設けてあり、前記固定ピンにはスリーブがそれぞれ嵌めてあり、前記スリーブと前記台座の間にはダンパー素子がそれぞれ設けてある足踏み機の構造において、前記連動機構は前記固定台の後方に嵌められた支持台を含み、前記支持台の内部には一つの枢着板が枢着してあり、前記枢着板の両端には一つの連動具がそれぞれ枢着してあり、前記連動具の前記枢着板から遠ざかった一端がそれぞれ二つのペダル組にある翼片に連接してあることを特徴とする足踏み機の構造であることを要旨としている。
【０００６】
本願の考案では、前記支持台の内部と枢着板の間にはワッシャが複数に設けてあることを特徴とする請求項1に記載の足踏み機の構造であることを要旨としている。
【０００７】
本願の考案では、前記枢着板の両端には前記連動具を枢着するためのねじ穴がそれぞれ一つ開設してあることを特徴とする請求項1に記載の足踏み機の構造であることを要旨としている。
【考案の効果】
【０００８】
本考案に係る足踏み機の構造によれば、次のような効果がある。
(イ)本考案のペダルが圧迫されたと上下左右に揺動することができるので、本考案に係る足踏み機によって運動するときに、足部の運動効果を達成でき、且つペダルが上下左右に揺動することにより、ユーザの尻部および腰部を運動することもでき、だから、従来のものと比較すると、運動効果を有する部位は拡大した。
【０００９】
(ロ)本考案に係る連動機構は枢着板で連動具に枢着したので、従来のようにロープがローラーから脱落し又はロープが断裂し易い欠点を回避できる。
【考案を実施するための最良の形態】
【００１０】
以下、添付図面を参照して本考案の好適な実施の形態を詳細に説明する。
【００１１】
まず、図1乃至図2を参照する。本考案に係る足踏み機1の構造は、一つの台座10と、二つのペダル組20と、一つの連動機構30とから構成されたものである。
【００１２】
前記台座10は、互いに平行する二つの横枠11の間に一つのメーン枠12を結合して工宇形の構造になり、一つの横枠11の頂面の中央には一つの固定台13が設けてあり、前記固定台13の両側には予定角度を持つ傾斜面131がそれぞれ一つ設けてあり、前記傾斜面131には前記傾斜面131と垂直し上へ延設した固定ビン132がそれぞれ一つ設けてある。
【００１３】
前記ペダル組20は、前記定位ピン132に対応する一端に一定角度を傾斜するスリーブ21が設けてあり、前記スリーブ21が定位ピン132に嵌めることにより、二つのベダル23は上下左右に揺動可能になり、なお、前記スリーブ21の予定箇所では外側に延びた翼片22が一つ設けてある。
【００１４】
前記油圧式ダンパー素子24は、それぞれ底台10と二つのペダル組20の間に枢着してある。
【００１５】
前記連動機構30は前記固定台13の後方に嵌められた支持台31を含み、前記支持台31の内部には一つの枢着板32が枢着してあり、前記枢着板32と前記支持台31の内部の間にはワッシャ35が複数に設けてあり、これにより、前記枢着板32の回転による磨耗を防止することができ、且つ前記枢着板32の両端には前記連動具33を枢着するためのねじ穴36がそれぞれ一つ開設してあり、前記連動具33の前記枢着板32から遠ざかった一端がそれぞれ二つのペダル組20にある翼片22に連接してあり、また、前記支持台31を前後移動可能にするための調整具34は前記固定台13の内部に螺着される。
【００１６】
本発明に係る足踏み機1の使用状態は、図3乃至図5に示すように、ユーザがペダル23を踏むときに、前記ダンパー素子24が圧迫されて圧縮状態になってペダル23が降下し、このとき、一定角度に傾斜する定位ピン132により、前記ペダル23は回転しながら外側へ旋回し、なお、前記ダンパー素子24も前記ペダル23と一緒に旋回し、また、前記ペダル23が降下する際に、翼片22が連動具33を外側へ引かせ、そうすると、連動具33が枢着板32を通じてベダル組20にある翼片22を引き駆動して、ペダル23が上下左右に揺動できるようになる。
【図面の簡単な説明】
【００１７】
【図１】本考案の外観図である。
【図２】本考案の分解斜視図である。
【図３】本考案に係る連動機構の実施状態を示す概略図である。
【図４】本考案の他の連動機構の実施状態を示す概略図である。
【図５】本考案の使用状態を示す概略図である。
【図６】従来のものの分解斜視図である。
【符号の説明】
【００１８】
10  台座
11  横枠
12  メーン枠
13  固定台
131  傾斜面
132  定位ピン
20  ペダル組
21  スリーブ
22  翼片
23  ペダル
24  ダンパー素子
30  連動機構
31  支持台
32  枢着板
33  連動具
34  調整具
35  ワッシャ
36  ねじ穴
40  連動機構
41  支持台
43  ロープ
42  ローラー
50  固定台
60  ペダル組
61  連動板
【図１】
0003120750.tif 000003
【図２】
0003120750.tif 000004
【図３】
0003120750.tif 000005
【図４】
0003120750.tif 000006
【図５】
0003120750.tif 000007
【図６】
0003120750.tif 000008